(57)【要約】【課題】簡単な構成でありながら、歩行補助具を確実に、かつ、容易に靴に装脱着することができる靴用装着具を提供する。【解決手段】靴用装着具１０は、アイゼン７０に取り付けられる一対の爪先側ベルト１２，１６及びヒール側ベルト２２と、長尺の固定バンド３０により構成される。爪先側ベルト１２，１６の端部は、三角環２０に固定されている。また、固定バンド３０は、係止具４０，４６と、それらの位置決め及び紛失防止を図るためのコキ５２，５４を備えており、バックル３２を設けた端部３０Ａ側が前記ヒール側ベルト２２の外足側に取り付けられる。靴６０にアイゼン７０を装着する際には、まず、固定バンド３０の係止具４０をヒール側ベルト２２の内足側２２Ｂに掛け、次いで、他の係止具４６を、前記三角環２０に掛ける。最後に、自由端３０Ｂをバックル３２に通して、緩み止め及び固定を行う。【選択図】図１
2008035931.tif 000002
【特許請求の範囲】
【請求項１】
歩行補助具を靴底へ装着するための靴用装着具であって、
前記歩行補助具の前方側と後方側に一対ずつ形成された取付部に取り付けられる帯状ないし紐状の取付バンド，
前方側及び後方側の取付部又は取付バンドに、直接又は間接的に連結して前記靴の甲を覆う固定バンド，
該固定バンドの一方の端部に設けられており、該固定バンドの他方の端部を通して緩み止めを行う緩み止め手段，
前記固定バンドに一つ以上設けられており、前記取付バンドに着脱可能に連結するフックを有し、かつ、前記固定バンドに沿って移動可能な係止手段，
を備えるとともに、
前記固定バンドは、前記緩み止め手段が設けられた端部側が、外足側において前記取付部又は取付バンドに取り付けられるとともに、内足側において、前記係止手段によって、前記取付ベルトに連結されることを特徴とする靴用装着具。
【請求項２】
前記固定バンドは、前記係止手段によって、前記靴の甲の上面側において前記取付ベルトと連結されることを特徴とする請求項１記載の靴用装着具。
【請求項３】
前記取付バンドに、前記係止手段のフックを掛けるための連結環を設けたことを特徴とする請求項１又は２記載の靴用装着具。
【請求項４】
前記固定バンドに、前記係止手段の位置決めないし滑り止めを行うための固定手段を、各係止手段の近傍に設けたことを特徴とする請求項１〜３のいずれかに記載の靴用装着具。
【発明の詳細な説明】
【技術分野】
【０００１】
本発明は、アイゼンやワカン（輪かんじき）などの歩行補助具を靴底に装着するための靴用装着具に関し、更に具体的には、前記歩行補助具の着脱性の改善に関するものである。
【背景技術】
【０００２】
従来、冬山登山などを行う場合には、雪や氷の道での滑落を防止するために、登山靴にアイゼンを装着する。また、靴が雪中に埋没して歩行が困難になるのを防止するため、かんじきを登山靴の靴底に取り付け、靴が雪中に埋没するのを防ぐようにしている。前記アイゼンやワカン（輪かんじき）などの歩行補助具は、通常、これらに設けられた複数の（帯状ないし紐状の）バンドを互いに連結したり巻き付けたりして靴に装着される。前記歩行補助具を装着するための靴用装着具としては、例えば、以下の特許文献１に記載の靴用装着具や、特許文献２に記載のアイゼン装着具およびアイゼンセットがある。これらの技術はいずれも、アイゼンの前方及び後方にそれぞれ設けられたバンドや紐状部材を、連結部材によって相互に連結することが開示されている。
【特許文献１】特開２０００−３５０６０４公報（第３図）
【特許文献２】特開２０００−１７５７０７公報（第４図）
【発明の開示】
【発明が解決しようとする課題】
【０００３】
しかしながら、以上のような背景技術には次のような不都合がある。まず、特許文献１の図３に示す例では、連結バンド２３０を、ヒール側内足のリング（連結部材５００−１）に通し、次に、フロント側（爪先側）の外足のリング（リング状部４１６−２）に通してから、フロント側内足のリング（リング状部４１６−１）に通していたので、装着に時間がかかるという不都合がある。また、特許文献２の図４に示す例では、連結バンドを、ヒールワイヤの内側部分２２１と、フロントバンドのリング状部２１３の二箇所に通す構成となっており、同じく連結バンドをリングや紐にくぐらせるという手間がかかる。すなわち、靴への取り付けに時間がかかるという不都合がある。
【０００４】
本発明は、以上の点に着目したもので、その目的は、簡単な構成でありながら、歩行補助具を確実に、かつ、容易に靴に装脱着することができる靴用装着具を提供することである。
【課題を解決するための手段】
【０００５】
前記目的を達成するため、本発明は、歩行補助具を靴底へ装着するための靴用装着具であって、前記歩行補助具の前方側と後方側に一対ずつ形成された取付部に取り付けられる帯状ないし紐状の取付バンド，前方側及び後方側の取付部又は取付バンドに、直接又は間接的に連結して前記靴の甲を覆う固定バンド，該固定バンドの一方の端部に設けられており、該固定バンドの他方の端部を通して緩み止めを行う緩み止め手段，前記固定バンドに一つ以上設けられており、前記取付バンドに着脱可能に連結するフックを有し、かつ、前記固定バンドに沿って移動可能な係止手段，を備えるとともに、前記固定バンドは、前記緩み止め手段が設けられた端部側が、外足側において前記取付部又は取付バンドに取り付けられるとともに、内足側において、前記係止手段によって、前記取付ベルトに連結されることを特徴とする。
【０００６】
主要な形態の一つは、前記固定バンドは、前記係止手段によって、前記靴の甲の上面側において前記取付ベルトと連結されることを特徴とする。他の形態は、前記取付バンドに、前記係止手段のフックを掛けるための連結環を設けたことを特徴とする。更に他の形態は、前記固定バンドに、前記係止手段の位置決めないし滑り止めを行うための固定手段を、各係止手段の近傍に設けたことを特徴とする。本発明の前記及び他の目的，特徴，利点は、以下の詳細な説明及び添付図面から明瞭になろう。
【発明の効果】
【０００７】
本発明は、歩行補助具の前方及び後方側に連結して靴の甲を覆う固定バンドの一端側を、歩行補助具の外足側に取り付けておくとともに、前記固定バンドに設けた係止手段のフックを、内足側（及び必要に応じて甲の上面側）において、前記歩行補助具に取り付けられた取付バンドや連結環に掛けて連結することとした。このため、前記取付バンドや連結環に、前記固定バンドを通したり潜らせたりする必要がないため、歩行補助具の装脱着が容易になるという効果が得られる。
【発明を実施するための最良の形態】
【０００８】
以下、本発明を実施するための最良の形態を、実施例に基づいて詳細に説明する。
【実施例１】
【０００９】
最初に、図１及び図２を参照しながら、本発明の実施例１を説明する。図１(A)は、本実施例を使用してアイゼンを靴に装着した状態を示す斜視図，図１(B)は係止部を示す図である。図２は、本実施例の構成を示す側面図である。本実施例の靴用装着具１０は、靴６０（登山靴など）にアイゼン７０を装着するためのものであって、前記アイゼン７０の爪先側に設けられた一対の爪先側ベルト１２，１６と、前記アイゼン７０の踵側に設けられたヒール側ベルト２２と、これらに連結される長尺の固定バンド３０により構成されている。なお、図示の例では、前記靴６０は、右足用となっている。
【００１０】
前記アイゼン７０は、爪先側の枠体７２と、踵側の枠体７４が、連結部材７６により連結されており、該連結部材７６に設けられた穴７８の位置をずらし、図示しないネジ部材などを用いて前記枠体７２又は７４と固定することによって、靴６０のサイズに合わせることが可能となっている。前記爪先側の枠体７２は、裏面に複数の爪８０を備えるとともに、前方の内足側と外足側に、上方に突出形成された取付部８２，８４を備えている。前記取付部８２，８４は、前記爪先側ベルト１２，１６を通すための環状部８２Ａ，８４Ａを備えている。一方、踵側の枠体７４は、裏面に複数の爪８０，８６，８８を備えており、これらのうち、前方に設けられた内足側の爪８８と外足側の爪８６には、前記ヒール側ベルト２２の端部を通すための挿通孔８８Ａ，８６Ａが形成されている。また、前記枠体７４の後方の内足側と外足側には、上方に突出した取付部９０，９２が設けられており、該取付部９０，９２には、前記ヒール側ベルト２２を通すための環状部９０Ａ，９２Ａが設けられている。以上のような構成のアイゼン７０は、公知の各種の材質により構成されている。
【００１１】
次に、前記靴用装着具１０を構成する爪先側ベルト１２は、一端が三角環２０に固定されており、他方の端部１２Ａが、前記枠体７２の環状部８２Ａを通り、コキ１４により長さ調節可能に固定される。他方の爪先側ベルト１６も同様に、一端が前記三角環２０に固定され、他方の端部１６Ａが、前記環状部８４Ａを通り、コキ１８により長さ調節可能に固定されている。すなわち、前記三角環２０に爪先側ベルト１２，１６の端部を固定することによって、靴６０の爪先６２の保持が可能となっている。一方、ヒール側ベルト２２は、一方の端部が、前記枠体７４の外足側の環状部９０Ａと取付部８６の挿通孔８６Ａに通され、前記枠体７４の裏側で図示しない係止具などにより、前記爪８６に係止される。他方の端部も同様に、前記枠体７４の内足側の環状部９２Ａと取付部８８の挿通孔８８Ａに通され、前記枠体７４の裏側で爪８８に係止される。
【００１２】
前記爪先側ベルト１２，１６と、前記ヒール側ベルト２２を連結する固定バンド３０は、図２に示すように長尺のベルトであって、一方の端部３０Ａ側には、固定バンド３０の緩み止め及び長さ調整を行うためのバックル（美錠）３２が設けられており、該バックル３２の近傍に形成された袋部３４には、２つの角環３６，３８が設けられている。前記固定バンド３０は、前記端部３０Ａ側を前記ヒール側ベルト２２に巻き付けるように折り返し、前記角環３８に通すことによって、前記ヒール側ベルト２２に取り付けられる。なお、固定バンド３０は、前記ヒール側ベルト２２に沿って移動可能であるが、アイゼン７０を装着する際には、後述のように、外足側２２Ａに端部３０Ａがくるように位置が調節される。
【００１３】
更に、前記固定バンド３０には、２つの係止具４０，４６が設けられている。これら係止具４０，４６は、図１(B)に示すように、前記固定バンド３０を通すための長穴４２，４８と、前記三角環２０やヒール側ベルト２２に掛けるためのフック４４，５０を備えている。また、前記固定バンド３０には、前記係止具４０，４６の近傍に、これら係止具４０，４６の位置決めと、紛失（固定バンド３０の自由端３０Ｂからの抜け落ち）防止を図るためのコキ５２，５４が設けられている。このような固定バンド３０は、前記係止具４０，４６と、コキ５２，５４を取り外した状態にすると、前記ヒール側ベルト２２への取り付け及び取り外しが可能となる。以上のような、爪先側ベルト１２，１６，固定バンド３０は、本実施例では、例えば、所定幅を有するナイロンベルトなどにより形成されており、ヒール側ベルト２２としては、例えば、ワイヤロープなどが用いられる。
【００１４】
次に、本実施例の作用を説明する。なお、前記爪先側ベルト１２，１６及びヒール側ベルト２２は、通常、アイゼン７０の枠体７２及び７４に取り付けられたままの状態である。また、アイゼン７０のヒール側ベルト２２には、前記固定バンド３０の端部３０Ａ側が、取り付けられている。靴６０にアイゼン７０を装着する際には、前記固定バンド３０の端部３０Ａ側を、前記ヒール側ベルト２２の外足側２２Ａに配置しておき、アイゼン７０に靴６０を載せ、踵６４をヒール側ベルト２２に当てるとともに、爪先側ベルト１２，１６の間に爪先６２をはめる。次に、図２に、矢印Ｆ１ａで示すように、一方の係止具４０のフック４４を、ヒール側ベルト２２の内足側２２Ｂに掛け、次いで、他方の係止具４６のフック５０を、矢印Ｆ２ｂに示すように三角環２０に掛ける。最後に、固定バンド３０の自由端３０Ｂを、矢印Ｆ２ｃに示すように、バックル３２に通して、緩み止めと固定を行う。以上のように係止具４０，４６を利用すると、アイゼン７０の装着時に、固定バンド３０を三角環２０に通したり、ヒール側ベルト２２に潜らせたりすることなく、靴６０の甲６６を覆って固定することができるため、装着作業が容易になる。なお、アイゼン７０を外すときは、上述した動作を逆の順序で行うことにより、前記三角環２０やヒール側ベルト２２から固定バンド３０を抜くことなく、容易に取り外しができる。
【００１５】
このように、実施例１によれば、次のような効果がある。
(1)固定バンド３０に設けた係止具４０，４６のフック４４，５０を、爪先側ベルト１２，１６に設けた三角環２０及びヒール側ベルト２２に掛けることとしたので、前記三角環２０やヒール側ベルト２２に固定バンド３０を通したり抜いたりすることなく、容易にアイゼン７０の装脱着を行うことが可能となる。
(2)前記係止具４０，４６の近傍に、コキ５２，５４を設けることとしたので、前記係止具４０，４６の位置決めや、紛失防止（抜け落ち防止）を図ることができる。
(3)前記係止具４０，４６により、内足側と甲の上面側で固定バンド３０の連結を行うこととしたので、外足側で連結を行う場合と比べてフック４４，５０が外れにくい。
【実施例２】
【００１６】
次に、図３及び図４を参照しながら、本発明の実施例２を説明する。なお、上述した実施例１と同一ないし対応する構成要素には、同一の符号を用いることとする（以下の実施例についても同様）。図３は、本実施例の構成を示す斜視図，図４は、本実施例を用いてワカン（輪かんじき）を靴に装着する状態を示す斜視図である。上述した実施例１は、靴６０の内足側と甲の上面で係止具による固定バンドの連結を行う構造であるが、本実施例は、内足側の２ヶ所で固定バンドの連結を行う構造とした例である。なお、本実施例では、靴６０は左足用となっており、該靴６０に取り付ける歩行補助具として、ワカン（輪かんじき）１６０を例に挙げて説明している。本実施例の靴用装着具１００は、前方側の一対の取付ベルト１０２，１０８と、後方側の一対の取付ベルト１１４，１２０及びヒール側ベルト１２６と、これらに連結される固定バンド１３０により構成されている。
【００１７】
前記ワカン１６０は、略長円状であって、対向する一対の長辺１６２Ａ，１６２Ｂの間には、適宜間隔をおいて連結ベルト１６６，１６８が設けられており、該連結ベルト１６６，１６８の間には、更に他の連結ベルト１７０が設けられている。該連結ベルト１７０は、コキ１７２によって、張り具合が調節可能となっている。これら連結ベルト１６６，１６８，１７０により、前記靴６０を載せる場所が形成される。また、前記ワカン１６０の長辺１６２Ａ，１６２Ｂの略中央部（前記連結ベルト１６６，１６８の間）の裏面には、爪１６４が設けられている。
【００１８】
次に、前記靴用装着具１００を構成する前方側の取付ベルト１０２，１０８は、前記連結ベルト１６６に着脱可能に取り付けられるとともに、それぞれ丸環１０４，１１０を備えており、更に、コキ１０６，１１２により長さ調節が可能となっている。後方側の取付ベルト１１４，１２０は、前記連結ベルト１６８に着脱可能に取り付けられるとともに、それぞれ丸環１１６，１２２を備えており、コキ１１８，１２４（コキ１２４は図示せず）により長さ調節が可能となっている。更に、前記後方側の丸環１１６，１２２には、靴６０の踵６４を受けるヒール側ベルト１２６の端部がそれぞれ接続されている。
【００１９】
前記固定バンド１３０は、基本的には、上述した実施例１の固定バンド３０と同様の構成の長尺のベルトであって、図３に示すように、一方の端部１３０Ａ側には、固定バンド１３０の緩み止めを行うためのバックル１３２が設けられており、該バックル１３２の近傍に形成された袋部１３４には、２つの角環１３６，１３８が設けられている。前記固定バンド１３０は、前記端部１３０Ａ側を前記ヒール側ベルト１２６に巻き付けるように折り返し、前記角環１３８に通すことによって、前記ヒール側ベルト１２６に取り付けられる。更に、前記固定バンド１３０には、２つの係止具１４０，１４６が設けられている。これら係止具１４０，１４６は、前記固定バンド１３０を通すための長穴１４２，１４８と、前記丸環１０４やヒール側ベルト１２６に掛けるためのフック１４４，１５０を備えている。
【００２０】
また、前記固定バンド１３０には、前記係止具１４０，１４６の近傍に、これら係止具１４０，１４６の位置決め及び紛失防止を行うためのコキ１５２，１５４が設けられている。このような固定バンド１３０は、前記係止具１４０，１４６と、コキ１５２，１５４を取り外した状態にすると、前記ヒール側ベルト１２６からの着脱が可能となる。以上のような、連結ベルト１６６，１６８，１７０，取付ベルト１０２，１０８，１１４，１２０，固定バンド１３０は、例えば、所定幅を有するナイロンベルトなどにより形成されており、ヒール側ベルト１２６としては、例えば、ワイヤロープなどが用いられる。
【００２１】
次に、本実施例の作用を説明する。なお、前記取付ベルト１０２，１０８，１１４，１２０は、通常、ワカン１６０の連結ベルト１６６，１６８に取り付けられており、前記ヒール側ベルト１２６は、前記取付ベルト１１４，１２０に取り付けられた状態である。また、前記ヒール側ベルト１２６には、前記固定バンド１３０の端部１３０Ａ側が取り付けられている。靴６０にワカン１６０を装着する際には、前記固定バンド１３０の端部１３０Ａ側を、前記ヒール側ベルト１２６の外足側１２６Ａに配置しておくとともに、図３に示すように、固定バンド１３０を予め外足側の取付ベルト１０８の丸環１１０に通しておく。そして、ワカン１６０に設けた連結ベルト１６６，１６８，１７０の上に靴６０を載せ、踵６４をヒール側ベルト１２６に当てる。このとき、前記取付ベルト１０２，１１４は、靴６０の内足側に位置し、他の取付ベルト１０８，１２０は、靴６０の外足側に位置するようにする。
【００２２】
次に、図３及び図４に矢印Ｆ２ａで示すように、一方の係止具１４０のフック１４４を、ヒール側ベルト１２６の内足側１２６Ｂに掛け、次いで、他方の係止具１４６のフック１５０を、矢印Ｆ２ｂに示すように内足側の前方の取付ベルト１０２の丸環１０４に掛ける。最後に、固定バンド１３０の自由端１３０Ｂを、矢印Ｆ２ｃに示すように、バックル１３２に通して、緩み止め（長さ調節）と固定を行う。以上のように係止具１４０，１４６を利用すると、ワカン１６０の装着時に、固定バンド１３０を丸環１０４に通したり、ヒール側ベルト１２６に潜らせたりすることなく、靴６０の甲６６を覆って固定することができるため装着が容易になる。なお、ワカン１６０を外すときは、上述した動作を逆の順序で行うことにより、前記丸環１１０やヒール側ベルト１２６から固定バンド１３０を抜くことなく容易に取り外しができる。本実施例によれば、靴６０の内足側の２ヶ所で固定バンド１３０を連結することとしたが、基本的な効果は、上述した実施例１と同様である。
【実施例３】
【００２３】
次に、図５を参照しながら、本発明の実施例３について説明する。図５(A)は、本実施例の構成を示す斜視図，図５(B)は、本実施例を用いてアイゼンを靴に装着する状態を示す斜視図である。本実施例は、上述した実施例２と同様に、内足側の２ヶ所で固定バンドを連結することによって、アイゼンを靴６０に装着する例である。なお、前記靴６０は、本実施例では右足用となっている。本実施例の靴用装着具２００は、アイゼン２４０の爪先側に設けられた一対の爪先側ベルト２０２，２０８と、前記アイゼン２４０の踵側に設けられたヒール側ベルト２１４と、これらに連結される長尺の固定バンド１３０により構成されている。前記固定バンド１３０は、上述した実施例２と同様の構成である。
【００２４】
前記アイゼン２４０は、枠体２４２の裏面に複数の爪２４４を備えるとともに、前方の内足側と外足側に、前記爪先側ベルト２０２，２０８を取り付けるための取付部２４６Ａ，２４６Ｂが形成されている。また、後方の内足側と外足側にも、前記ヒール側ベルト２１４を取り付けるための取付部２４６Ｃ，２４６Ｄが形成されている。以上のような構成のアイゼン２４０は、公知の各種の材質により構成されている。
【００２５】
次に、前記靴用装着具２００を構成する爪先側ベルト２０２は、一端に丸環２０４を備えるとともに、他方の端部が前記枠体２４２の取付部２４６Ｂを通り、コキ２０６により長さ調節可能に固定される。他方の爪先側ベルト２０８も同様に、一端に丸環２１０を備え、他方の端部が前記枠体２４２の取付部２４６Ａを通り、コキ２１２により長さ調節可能に固定されている。一方、ヒール側ベルト２１４は、両端が、それぞれ前記枠体２４２の取付部２４６Ｃ，２４６Ｄに通され、コキ２１６，２１８により長さ調節可能に固定されている。また、前記ヒール側ベルト２１４の内足側と外足側には、それぞれ連結具２２０，２２６が設けられている。前記連結具２２０は、前記ヒール側ベルト２１４を通すための長穴２２２Ａ，２２２Ｂが略ハ字状に形成されるとともに、前記固定バンド１３０を通すための環状部２２４を備えている。他方の連結具２２６も同様に、略ハ字状の一対の長穴２２８Ａ，２２８Ｂと、前記固定バンド１３０の係止具１４０のフック１４４を掛けるための環状部２３０を備えている。以上のような爪先側ベルト２０２，２０８，ヒール側ベルト２１４，固定バンド１３０は、例えば、所定幅を有するナイロンベルトなどにより形成されている。
【００２６】
次に、本実施例の作用を説明する。なお、前記爪先側ベルト２０２，２０８，ヒール側ベルト２１４は、通常、アイゼン２４０の枠体２４２に取り付けられた状態のままである。また、前記ヒール側ベルト２１４の外足側の連結具２２０の環状部２２４には、前記固定バンド１３０の端部１３０Ａ側が取り付けられている。靴６０にアイゼン２４０を装着する際には、図５に示すように、固定バンド１３０を予め外足側の爪先側ベルト２０２の丸環２０４に通しておく。そして、アイゼン２４０の枠体２４２の上に靴６０を載せ、踵６４をヒール側ベルト２１４に当てる。このとき、前記爪先側ベルト２０２，２０８は、それぞれ靴６０の外足側と内足側に位置するようにする。
【００２７】
次に、図５(A)に矢印Ｆ３ａで示すように、一方の係止具１４０のフック１４４を、ヒール側ベルト２１４の内足側の連結具２２６の環状部２３０に掛け、次いで、他方の係止具１４６のフック１５０を、矢印Ｆ３ｂに示すように内足側の爪先側ベルト２０８の丸環２１０に掛ける。最後に、固定バンド１３０の自由端１３０Ｂを、矢印Ｆ３ｃに示すように、バックル１３２に通して、緩み止め（長さ調節）と固定を行う。以上のように係止具１４０，１４６を利用すると、アイゼン２４０の装着時に、固定バンド１３０を丸環２１０や環状部２３０に通すことなく、靴６０の甲６６覆って固定することができるため、装着作業が容易になる。なお、アイゼン２４０を外すときは、上述した動作を逆の順序で行うことにより、前記丸環２１０や環状部２３０から固定バンド１３０を抜くことなく容易に取り外しできる。本実施例の基本的な効果は、前記実施例２と同様である。
【実施例４】
【００２８】
次に、図６を参照しながら、本発明の実施例４を説明する。図６(A)は、本実施例の構成を示す斜視図，図６(B)は、本実施例を用いてアイゼンを靴に装着する状態を示す斜視図である。上述した実施例１〜３はいずれも、係止具によって内足側（及び甲の上面側）の２ヶ所で固定バンドを連結する構成としたが、本実施例は、係止具による連結部分を１ヶ所とした例である。なお、前記靴６０は、本実施例では左足用となっており、歩行補助具であるアイゼン３３０は、靴６０の踵６４部分にのみ設けられるサイズとなっている。本実施例の靴用装着具３００は、アイゼン３３０の前方の内足側に設けられた取付ベルト３４４と、前記アイゼン３４０の踵側に設けられたヒール側ベルト３０２と、これらに連結される長尺の固定バンド３１０により構成されている。
【００２９】
前記アイゼン３３０は、枠体３３２の裏面に複数の爪３３４を備えるとともに、前方の外足側と内足側に、上方に突出した取付部３３６，３３８を備えている。該取付部３３６，３３８には、前記取付ベルト３４４及び固定バンド３１０を通すための環状部３３６Ａ，３３８Ａが設けられている。また、前記枠体３３２の後方の外足側と内足側には、同じく上方に突出した取付部３４０，３４２が設けられ、それらの先端には、ヒール側ベルト３０２を通すための環状部３４０Ａ，３４２Ａが設けられている。以上のような構成のアイゼン３３０は、公知の各種の材質により構成されている。
【００３０】
次に、前記靴用装着具３００を構成する取付ベルト３４４は、一端に丸環３４８を備えるとともに、他方の端部が前記枠体３３２の取付部３３８の環状部３３８Ａを通り、コキ３４６により長さ調節可能に固定される。一方、ヒール側ベルト３０２は、両端が、それぞれ前記枠体３３２の取付部３４０，３４２の環状部３４０Ａ，３４２Ａに通され、コキ３０４，３０６により長さ調節可能に固定されている。また、前記ヒール側ベルト３０２には、前記コキ３０４と３０６の間に、前記固定バンド３１０を通すための丸環３０８が設けられている。
【００３１】
次に、前記固定バンド３１０は、図６に示すように、一方の端部３１０Ａ側には、固定バンド３１０の緩み止めを行うためのバックル３１２が設けられており、該バックル３１２の近傍に形成された袋部３１４には、２つの角環３１６，３１８が設けられている。前記固定バンド３１０は、前記端部３１０Ａ側を、前記枠体３３２の前方外足側の環状部３３６Ａに通して折り返し、前記角環３１８に通すことによって、前記環状部３３６Ａに取り付けられる。更に、前記固定バンド３１０には、長穴３２２とフック３２４を備えた係止具３２０が設けられるとともに、該係止具３２０の近傍には、前記係止具３２０の位置決めと紛失防止を図るためのコキ３２６が設けられている。このような固定バンド３１０は、前記係止具３２０及びコキ３２６を取り外した状態にすると、前記環状部３３６Ａからの着脱が可能となる。以上のような取付ベルト３４４，ヒール側ベルト３０２，固定バンド３１０は、例えば、所定幅を有するナイロンベルトなどにより形成されている。
【００３２】
次に、本実施例の作用を説明する。なお、前記取付ベルト３４４，ヒール側ベルト３０２は、通常、アイゼン３３０の枠体３３２に取り付けられた状態のままである。また、前記枠体３３２の前方内足側の環状部３３６Ａには、前記固定バンド３１０の端部３１０Ａが取り付けられている。靴６０にアイゼン３３０を装着する際には、図６に示すように、前記固定バンド３１０を、予めヒール側ベルト３０２の丸環３０８に通しておく。そして、アイゼン３３０の枠体３３２の上に、靴６０の踵６４を載せる。次いで、図６(A)に矢印Ｆ４ａで示すように、係止具３２０のフック３２４を、内足側の取付ベルト３４４の丸環３４８に掛け、最後に、固定バンド３１０の自由端３１０Ｂを、矢印Ｆ４ｂに示すように、バックル３１２に通して、緩み止め（長さ調節）と固定を行う。
【００３３】
以上のように係止具３２０を利用すると、アイゼン３３０の装着時に、固定バンド３１０を、丸環３４８に通すことなく、靴６０の甲６６を覆って固定することができるため、装着作業が容易になる。なお、アイゼン３３０を外すときは、上述した動作を逆の順序で行うことにより、前記丸環３４８から固定バンド３１０を抜くことなく脱着できるため、取り外しが容易である。本実施例では、アイゼン３３０が靴６０の踵６４部分にのみ装着される大きさであるため、係止具３２０による連結を１箇所としても、確実に靴６０を装着することができる。本実施例の基本的な効果は、上述した実施例と同様である。
【００３４】
なお、本発明は、上述した実施例に限定されるものではなく、本発明の要旨を逸脱しない範囲内において種々変更を加え得ることができる。例えば、以下のものも含まれる。
(1)前記実施例で示した形状・大きさは一例であり、必要に応じて適宜変更してよい。また、その色彩や模様についても同様に、必要に応じて適宜変更可能である。各部に使用する材料も、公知の各種のものを適宜使用してよい。
(2)前記実施例で示した爪８０，１６４，２４４，３３４の位置及び数も一例であり、必要に応じて他の位置に設けるようにしてもよいし、その数も適宜増減してよい。
(3)前記実施例１のアイゼン７０のサイズ調節方法も一例であり、公知の各種の調節機構を適用してよい。また、各種ベルトないしバンドの長さ調節機構や、歩行補助具（アイゼンやワカンなど）への取付機構も一例であり、同様の効果を奏するものであれば、公知の各種の機構を適用してよい。
(4)前記実施例４に示した踵用のアイゼン３３０も一例であり、爪先用の歩行補助具を装着する際に適用するなど、本発明は、靴に装着される歩行補助具全般に適用可能である。
【産業上の利用可能性】
【００３５】
本発明によれば、歩行補助具の前方及び後方側に連結して靴の甲を覆う固定バンドの一端側を、歩行補助具の外足側に取り付けておくとともに、前記固定バンドに設けた係止手段のフックを、内足側（及び必要に応じて甲の上面側）において、前記歩行補助具に取り付けられた取付バンドや連結環に掛けて連結することとした。このため、歩行補助具を靴底へ装着するための靴用装着具の用途に適用できる。特に、雪山登山用の歩行補助具の装着具の用途に好適である。
【図面の簡単な説明】
【００３６】
【図１】本発明の実施例１を示す図であり、(A)は本実施例を使用してアイゼンを靴に装着した状態を示す斜視図，(B)は係止部を示す図である。
【図２】前記実施例１の構成を示す側面図である。
【図３】本発明の実施例２の構成を示す斜視図である。
【図４】前記実施例２を用いてワカンを靴に装着する状態を示す斜視図である。
【図５】本発明の実施例３を示す図であり、(A)は本実施例の構成を示す斜視図，(B)は本実施例を用いてアイゼンを靴に装着する状態を示す斜視図である。
【図６】本発明の実施例４を示す図であり、(A)は本実施例の構成を示す斜視図，(B)は本実施例を用いてアイゼンを靴に装着する状態を示す斜視図である。
【符号の説明】
【００３７】
１０：靴用装着具
１２，１６：爪先側ベルト
１２Ａ，１６Ａ：端部
１４，１８：コキ（調節具）
２０：三角環
２２：ヒール側ベルト
２２Ａ：外足側
２２Ｂ：内足側
３０：固定バンド
３０Ａ：端部
３０Ｂ：自由端
３２：バックル（美錠）
３４：袋部
３６，３８：角環
４０，４６：係止具
４２，４８：長穴
４４，５０：フック
５２，５４：コキ
６０：靴
６２：爪先
６４：踵
６６：甲
７０：アイゼン
７２，７４：枠体
７６：連結部材
７８：穴
８０，８６，８８：爪
８２，８４，９０，９２：取付部
８２Ａ，８４Ａ，９０Ａ，９２Ａ：環状部
８６Ａ，８８Ａ：挿通孔
１００：靴用装着具
１０２，１０８，１１４，１２０：取付ベルト
１０２Ａ，１０８Ａ，１１４Ａ，１２０Ａ：端部
１０４，１１０，１１６，１２２：丸環
１０６，１１２，１１８，１２４：コキ
１２６：ヒール側ベルト
１２６Ａ：外足側
１２６Ｂ：内足側
１３０：固定バンド
１３０Ａ：端部
１３０Ｂ：自由端
１３２：バックル
１３４：袋部
１３６，１３８：角環
１４０，１４６：係止具
１４２，１４８：長穴
１４４，１５０：フック
１５２，１５４：コキ
１６０：ワカン（輪かんじき）
１６２Ａ，１６２Ｂ：長辺
１６４：爪
１６６，１６８，１７０：連結ベルト
１７２：コキ
２００：靴用装着具
２０２，２０８：爪先側ベルト
２０４，２１０：丸環
２０６，２１２：コキ
２１４：ヒール側ベルト
２１６，２１８：コキ
２２０，２２６：連結具
２２２Ａ，２２２Ｂ，２２８Ａ，２２８Ｂ：長穴
２２４，２３０：環状部
２４０：アイゼン
２４２：枠体
２４４；爪
２４６Ａ〜２４６Ｄ：取付部
３００：靴用装着具
３０２：ヒール側ベルト
３０２Ａ，３０２Ｂ：端部
３０４，３０６：コキ
３０８：丸環
３１０：固定バンド
３１０Ａ：端部
３１０Ｂ：自由端
３１２：バックル
３１４：袋部
３１６，３１８：角環
３２０：係止具
３２２：長穴
３２４：フック
３２６：コキ
３３０：アイゼン
３３２：枠体
３３４：爪
３３６，３３８，３４０，３４２：取付部
３３６Ａ，３３８Ａ，３４０Ａ，３４２Ａ：環状部
３４４：取付ベルト
３４６：コキ
３４８：丸環
【図１】
2008035931.tif 000003
【図２】
2008035931.tif 000004
【図３】
2008035931.tif 000005
【図４】
2008035931.tif 000006
【図５】
2008035931.tif 000007
【図６】
2008035931.tif 000008